(57)【要約】【課題】二次電池の外装体にフィルムを用いた場合、フィルムの強度は、金属缶よりも弱く、外部から力が加わった場合に、外装体に囲まれた領域に配置される集電体、または集電体表面に設けられた活物質層などにダメージを与える恐れがある。外部から力が加わった場合においても、丈夫な二次電池を実現する。【解決手段】二次電池において、部分的に曲がりやすい領域と、保護材を収納して部分的に曲がりにくい領域を意図的に形成し、丈夫な二次電池を実現する【選択図】図１
2015233003.tif 000002
【特許請求の範囲】
【請求項１】
フィルムを有する二次電池であって、
前記フィルムで囲まれた領域において、第１の集電体と、
第１の活物質層と、
第２の集電体と、
第２の活物質層と、
保護材と、を有し、
前記第１の集電体と前記第２の集電体とは、互いに一部重なる領域を有し、
前記第１の集電体と前記保護材とは、互いに一部重なる領域を有し、
前記第１の集電体は、前記第１の活物質層と接する第１の領域と、前記第１の活物質層の端面から突出した第２の領域とを有し、
前記第２の集電体は、前記第２の活物質層と接する第３の領域と、前記第２の活物質層の端面から突出した第４の領域とを有し、
前記保護材は、少なくとも前記第２の領域と互いに重なることを特徴とする二次電池。
【請求項２】
請求項１において、前記保護材は、少なくとも前記第４の領域と互いに重なることを特徴とする二次電池。
【請求項３】
請求項１または請求項２において、前記保護材は、前記第１の活物質層と一部互いに重なることを特徴とする二次電池。
【請求項４】
請求項１乃至３のいずれか一において、前記保護材は、前記第２の活物質層と一部互いに重なることを特徴とする二次電池。
【請求項５】
フィルムを有する二次電池であって、
前記フィルムで囲まれた領域において、第１の集電体と、
第１の活物質層と、
第２の集電体と、
第２の活物質層と、
第１の保護材と、
第２の保護材と、を有し、
前記第１の集電体と前記第２の集電体とは、互いに一部重なる領域を有し、
前記第１の保護材と前記第２の保護材とは、互いに一部重なる領域を有することを特徴とする二次電池。
【請求項６】
請求項５において、前記第１の集電体は、前記第１の活物質層と接する第１の領域と、前記第１の活物質層の端面から突出した第２の領域とを有し、
前記第２の集電体は、前記第２の活物質層と接する第３の領域と、前記第２の活物質層の端面から突出した第４の領域とを有し、
前記第１の保護材と前記第２の保護材の間に前記第２の領域が配置されることを特徴とする二次電池。
【請求項７】
請求項５または請求項６において、前記第１の保護材は、前記第１の領域と前記第２の領域の境界と互いに重なることを特徴とする二次電池。
【請求項８】
請求項５乃至７のいずれか一において、前記第１の保護材は、前記第３の領域と前記第４の領域の境界と互いに重なることを特徴とする二次電池。
【請求項９】
請求項１乃至請求項８のいずれか一項に記載の二次電池と、
表示装置、筐体、スピーカ、マイク、または、操作ボタンと、
を有する電子機器。
【発明の詳細な説明】
【技術分野】
【０００１】
本発明の一様態は、物、方法、又は、製造方法に関する。または、本発明は、プロセス、マシン、マニュファクチャ、又は、組成物（コンポジション・オブ・マター）に関する。本発明の一態様は、半導体装置、表示装置、発光装置、蓄電装置、照明装置または電子機器の製造方法に関する。特に、電子機器およびそのオペレーティングシステムに関する。
【０００２】
なお、本明細書中において電子機器とは、二次電池を有する装置全般を指し、二次電池を有する電気光学装置、二次電池を有する情報端末装置などは全て電子機器である。
【背景技術】
【０００３】
使用者が携帯する電子機器や、使用者が装着する電子機器が盛んに開発されている。例えば、薄型携帯書籍が特許文献１に記載されている。
【０００４】
使用者が携帯する電子機器や、使用者が装着する電子機器は、二次電池を電源として動作する。使用者が携帯する電子機器は、長時間使用することが望まれ、そのために大容量の二次電池を用いればよい。電子機器に大容量の二次電池を内蔵させると大容量の二次電池は大きく、重量がかさむ問題がある。そこで携帯する電子機器に内蔵できる小型または薄型で大容量の二次電池の開発が進められている。
【０００５】
また、二次電池は、外装体として金属缶を用い、その金属缶内に電解質などを収納する構成となっている。
【先行技術文献】
【特許文献】
【０００６】
【特許文献１】特開昭６３−１５７９６号公報
【発明の概要】
【発明が解決しようとする課題】
【０００７】
外装体として金属缶を用いる場合、二次電池自体の重量が増加する問題点がある。また、薄い二次電池を実現するために、薄い金属缶を成形加工によって製造することが困難であり、薄い金属缶を用いて二次電池を作製することも困難である。
【０００８】
外装体として金属箔（アルミニウム、ステンレスなど）と樹脂（熱融着性樹脂）の積層を含むフィルム（ラミネートフィルムとも呼ぶ）を用いると、金属缶を用いた二次電池よりも軽量であり、薄型の二次電池を作製することができる。または、本発明の一態様は、新規な蓄電装置、新規な二次電池などを提供することを課題とする。なお、これらの課題の記載は、他の課題の存在を妨げるものではない。なお、本発明の一態様は、必ずしも、これらの課題の全てを解決する必要はない。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００９】
二次電池の外装体にフィルムを用いた場合、フィルムの強度は、金属缶よりも弱く、外部から力が加わった場合に、外装体の内部に配置される集電体、または集電体表面に設けられた活物質層などにダメージを与える恐れがある。集電体は、リード電極と接続するための突出部（電極タブ部とも呼ばれる）が設けられており、外力が加わり二次電池が曲がった時に突出部（電極タブ部）の周辺で亀裂などのダメージが集電体の一部に与えられ、二次電池の破損に繋がる。なお、電極タブ部には活物質層は設けない。
【００１０】
ラミネートフィルムを外装体に用いる薄型の二次電池は、亀裂の入りやすい電極形状、即ち、リード電極の引き出しのため一部が突出している突出部（電極タブ部）を有している。ラミネートフィルムを外装体に用いる薄型の二次電池を作製し、二次電池を曲げると、曲げに弱い箇所に外部からの力が集中してダメージが加わる。二次電池の内部に配置される構成に対して、曲げに弱い箇所を補強するために保護材を設ける。
【００１１】
二次電池の内部において、曲げに弱い箇所は、集電体の突出部（電極タブ部）の周辺、即ち集電体の幅が大きく変化する部分である。集電体は薄い金属箔であり、外部からの力により亀裂や、破断する恐れがある。
【００１２】
従って、集電体の幅が大きく変化する部分が大きく曲げられないように集電体の幅が大きく変化する部分と重なるように保護材を設け、その部分を保護する。
【００１３】
即ち、二次電池において、部分的に曲がりやすい領域と、保護材を収納して部分的に曲がりにくい領域を意図的に形成し、丈夫な二次電池を実現する。
【００１４】
本明細書で開示する構成は、フィルムを有する二次電池であって、前記フィルムで囲まれた領域において、第１の集電体と、第１の活物質層と、第２の集電体と、第２の活物質層と、保護材と、を有し、第１の集電体と第２の集電体とは、互いに一部重なる領域を有し、第１の集電体と保護材とは、互いに一部重なる領域を有し、第１の集電体は、第１の活物質層と接する第１の領域と、第１の活物質層の端面から突出した第２の領域とを有し、第２の集電体は、第２の活物質層と接する第３の領域と、第２の活物質層の端面から突出した第４の領域とを有し、保護材は、少なくとも前記第２の領域と互いに重なることを特徴とする二次電池である。
【００１５】
上記構成において、保護材は、少なくとも前記第４の領域と互いに重なることを特徴としている。また、上記構成において、保護材は、第１の活物質層と一部互いに重なることを特徴としている。また、上記構成において、保護材は、第２の活物質層と一部互いに重なることを特徴としている。
【００１６】
また、本明細書で開示する他の構成は、フィルムを有する二次電池であって、フィルムで囲まれた領域において、第１の集電体と、第１の活物質層と、第２の集電体と、第２の活物質層と、第１の保護材と、第２の保護材と、を有し、第１の集電体と第２の集電体とは、互いに一部重なる領域を有し、第１の保護材と第２の保護材とは、互いに一部重なる領域を有することを特徴としている。
【００１７】
上記構成において、第１の集電体は、第１の活物質層と接する第１の領域と、第１の活物質層の端面から突出した第２の領域とを有し、第２の集電体は、第２の活物質層と接する第３の領域と、第２の活物質層の端面から突出した第４の領域とを有し、第１の保護材と第２の保護材の間に第２の領域が配置されることを特徴としている。
【００１８】
上記各構成において、第１の保護材は、第１の領域と第２の領域の境界と互いに重なることを特徴としている。
【００１９】
上記各構成において、第１の保護材は、第３の領域と第４の領域の境界と互いに重なることを特徴としている。
【００２０】
二次電池において、容量を増大させるために、外装体に囲まれた領域には、正極となる集電体と、セパレータと、負極となる集電体とを少なくとも有するユニットも複数重ねて設けるが、保護材は、最も外側の集電体と外装体の間に設ける。また、保護材は、セパレータよりも厚さが厚いものを用いる。また、保護材は、集電体よりも厚さが厚いものを用いる。また、保護材は、セパレータと同じ材料を用いてシートを丸めたものを用いてもよい。
【００２１】
保護材の形状としては、平板状、棒状、直方体形状などが挙げられる。例えばシート状のプラスチックフィルムにスリットを有する形状としてもよい。また、外装体に囲まれた領域に複数の保護材を収納してもよく、それぞれ大きさや形状が異なってもよい。例えば、保護材として繊維状の糸（ガラスファイバー）を複数本束ねた集合体を用いてもよい。また、有機樹脂からなる糸を布のように編みこんだ集合体（織布）を用いてもよい。また、シート状の材料を丸めた形状やシート状の材料を折りたたんだ形状を用いてもよい。具体的には、集電体よりも広い面積を有する薄い平板状の保護材（プラスチックフィルム）が集電体と互いに重なるように外装体に囲まれた領域に収納する。
【００２２】
保護材の材料としては、絶縁体（プラスチック、ゴム（天然ゴム、合成ゴム）、ガラス、不織布、紙など）であることが好ましい。また、保護材の材料としてゴム（合成ゴム、例えばシリコーンゴム、フッ素ゴム、クロロプレンゴム、ニトリルブタジエンゴム、エチレンプロピレンゴム、スチレンブタジエンゴムなど）が好ましい。具体的には、保護材の材料としてセパレータよりも弾性率の高い材料を用いる。また、保護材の材料として材料内部に気泡を有する多孔質材料（例えば、発泡スチロールや、上記合成ゴム材料を用いたスポンジゴムをシート状にしたもの）であってもよい。また、保護材の材料としてゲル化素材を用いてもよい。
【００２３】
また、保護材の材料としては、表面が絶縁表面を有していれば、導電材料を用いることもできる。例えば、保護材の材料として、炭素繊維の表面に有機樹脂をコートしたものや、金属箔（アルミニウム箔や銅箔やステンレス箔など）の表面に無機絶縁膜、例えば酸化シリコン膜を成膜したもの、金属箔の表面に有機樹脂をコートしたものなどを用いることができる。
【００２４】
二次電池において、外装体に囲まれた領域に保護材を設けることによって、集電体などを安定な位置に収納できる。また、二次電池を所望の形状に曲げる場合、所望の形状となるように保護材もある程度曲がった形状とすることもでき、二次電池の曲げられた形状維持にも寄与することもできる。また、二次電池が必要以上に曲がらないように制限する機能を持たせることもできる。保護材は、二次電池の骨格としても機能させることもできる。
【００２５】
また、外装体に囲まれた領域に保護材を設けることに限定されず、保護材の一部が露出するように保護材を設けてもよい。この場合には、保護材自体が外装体の一部、即ち封止部材の一つとして機能する。
【００２６】
または、本発明の一態様は、外装体で囲まれる領域に、正極として機能する第１の集電体、および負極として機能する第２の集電体を、それぞれ複数個有することを特徴とする蓄電体である。
【００２７】
本発明の一態様に係る蓄電体は、曲率半径１０ｍｍ以上好ましくは曲率半径３０ｍｍ以上の範囲で変形することができる。蓄電体の外装体であるフィルムは、１枚または２枚で構成されており、積層構造の蓄電体である場合、湾曲させた電池の断面構造は、外装体であるフィルムの２つの曲線で挟まれた構造となる。
【００２８】
ここで、面の曲率半径について、図５を用いて説明しておく。図５（Ａ）において、曲面１７００を切断した平面１７０１において、曲面１７００に含まれる曲線１７０２の一部を円の弧に近似して、その円の半径を曲率半径１７０３とし、円の中心を曲率中心１７０４とする。図５（Ｂ）に曲面１７００の上面図を示す。図５（Ｃ）に、平面１７０１で曲面１７００を切断した断面図を示す。曲面を平面で切断するとき、曲面に対する平面の角度や切断する位置に応じて、断面に現れる曲線の曲率半径は異なるものとなるが、本明細書等では、最も小さい曲率半径を面の曲率半径とする。
【００２９】
２枚のフィルムを外装体として電極・電解液などを含む内容物１８０５を挟む蓄電体を湾曲させた場合には、蓄電体の曲率中心１８００に近い側のフィルム１８０１の曲率半径１８０２は、曲率中心１８００から遠い側のフィルム１８０３の曲率半径１８０４よりも小さい（図６（Ａ））。蓄電体を湾曲させて断面を円弧状とすると曲率中心１８００に近いフィルムの表面には圧縮応力がかかり、曲率中心１８００から遠いフィルムの表面には引っ張り応力がかかる（図６（Ｂ））。外装体の表面に凹部または凸部で形成される模様を形成すると、このように圧縮応力や引っ張り応力がかかったとしても、ひずみによる影響を許容範囲内に抑えることができる。そのため、蓄電体は、曲率中心に近い側の外装体の曲率半径が１０ｍｍ以上好ましくは３０ｍｍ以上となる範囲で変形することができる。
【００３０】
なお、蓄電体の断面形状は、単純な円弧状に限定されず、一部が円弧を有する形状にすることができ、例えば図６（Ｃ）に示す形状や、波状（図６（Ｄ））、Ｓ字形状などとすることもできる。蓄電体の曲面が複数の曲率中心を有する形状となる場合は、複数の曲率中心それぞれにおける曲率半径の中で、最も曲率半径が小さい曲面において、２枚の外装体の曲率中心に近い方の外装体の曲率半径が、１０ｍｍ以上好ましくは３０ｍｍ以上となる範囲で蓄電体が変形することができる。
【００３１】
なお、本発明の一態様は、様々な蓄電装置に対して適用させることができる。例えば、蓄電装置の一例としては、電池、一次電池、二次電池、リチウムイオン二次電池（リチウムイオンポリマー二次電池も含む）、リチウム空気電池、などがあげられる。さらに、蓄電装置の別の例として、キャパシタに適用することもできる。例えば、本発明の一態様の負極と、電気二重層の正極とを組み合わせて、リチウムイオンキャパシタなどのようなキャパシタを構成することも可能である。
【発明の効果】
【００３２】
外部から力が加わることにより、二次電池が変形する程度、即ち二次電池の内部構成の一部変形を保護材の材質や配置によって調節することができる。例えば、二次電池が急激に折り曲げられようとされても保護材の存在により内部構造が破壊されない程度に曲げが抑えられる。従って、保護材は、外部からの曲げる力によって内部構成が損傷することを保護することができる。または、新規な蓄電装置、新規な二次電池などを提供することが出来る。なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００３３】
【図１】本発明の一態様を示す外観模式図及び断面図である。
【図２】本発明の一態様の外装体に囲まれる領域における構成例を示す斜視図および断面図である。
【図３】本発明の一態様を示す外観模式図及び構成例である。
【図４】本発明の一態様を示す電子機器の外観斜視図である。
【図５】面の曲率半径について説明する図。
【図６】蓄電体の断面を説明する図。
【発明を実施するための形態】
【００３４】
以下では、本発明の実施の形態について図面を用いて詳細に説明する。ただし、本発明は以下の説明に限定されず、その形態および詳細を様々に変更し得ることは、当業者であれば容易に理解される。また、本発明は以下に示す実施の形態の記載内容に限定して解釈されるものではない。
【００３５】
なお、本明細書で説明する各図において、各構成の大きさ、層の厚さ、または領域は、発明を明瞭化するために誇張または省略されている場合がある。よって、必ずしもそのスケールに限定されない。
【００３６】
なお、本明細書等における「第１」、「第２」等の序数詞は、構成要素の混同を避けるために付すものであり、工程順または積層順など、なんらかの順番や順位を示すものではない。また、本明細書等において序数詞が付されていない用語であっても、構成要素の混同を避けるため、特許請求の範囲において序数詞が付される場合がある。
【００３７】
（実施の形態１）
図１（Ａ）に蓄電体１００の模式図の一例を示す。また、蓄電体の外装体に囲まれた内部構造の一例を図１（Ｂ）に示す。
【００３８】
本発明の一態様の蓄電体１００は、外装体１０７内に、正極１０１と、セパレータ１０３と、負極１０２と、保護材１１０と、電解液を少なくとも有する。蓄電体の構造としては、様々な構造があるが、本実施の形態では、外装体１０７の形成にフィルムを用いる。外装体１０７の周縁に対してヒートバーなどを用いる熱圧着などを行い、圧着された圧着領域１１８によって正極１０１、負極１０２、保護材１１０、セパレータ１０３、電解液などを封止する。
【００３９】
外装体１０７を形成するためのフィルムは金属フィルム（アルミニウム、ステンレス、ニッケル鋼、金、銀、銅、チタン、ニクロム、鉄、錫、タンタル、ニオブ、モリブデン、ジルコニウム、亜鉛など金属箔となる金属または合金）、有機材料からなるプラスチックフィルム、有機材料（有機樹脂や繊維など）と無機材料（セラミックなど）とを含むハイブリッド材料フィルム、炭素含有無機フィルム（カーボンフィルム、グラファイトフィルムなど）から選ばれる単層フィルムまたはこれら複数からなる積層フィルムを用いる。
【００４０】
本実施の形態では、保護材１１０として、正極の突出部及び負極の突出部を保護するために、シート状のプラスチックフィルムを２つ用いる。図１（Ａ）中において鎖線で示した領域に保護材１１０を設けると、鎖線で示した領域は曲がりにくくなる。２つのシート状のプラスチックフィルムの間に間隙材（支持材、例えば樹脂）を設け固定してもよい。また、金型や三次元造形装置（３Ｄプリンタとも呼ばれる）などを用いて平板と平板の間に梁があるような梁構造の樹脂材料を保護材１１０に用いてもよい。また、本実施の形態では、保護材１１０は、セパレータ１０３よりも厚いプラスチックフィルムを用いる。また、保護材１１０はスリットを有していてもよい。また、保護材１１０は矩形に限定されず、４つの角が丸められた形状としてもよい。保護材１１０の形状に鋭角な角があると、蓄電体を曲げた際に、その角が外装体であるフィルムを損傷する恐れがあるため、保護材１１０の角部を面取り加工すると信頼性の良い蓄電体を提供することができる。保護材１１０の材料は、絶縁材料を用い、例えば、ＰＰや、ＰＥや、ＰＥＴやＰＢＴ等のポリエステル、ナイロン６、ナイロン６６等のポリアミド、また無機蒸着フィルム、または紙類を用いればよい。
【００４１】
蓄電体の外装体に囲まれた領域に保護材１１０を設けることで、図１（Ｂ）に示すように、２つの保護材で挟まれた空間においてタブ部分や正極リードが移動するマージンが確保できる。図１（Ｂ）は、図１（Ａ）中の点線Ａ１−Ａ２で切断した断面模式図である。図１（Ｂ）では、正極１０１、セパレータ１０３、負極１０２の組み合わせを３つ示しているが特に限定されず、容量を大きくする場合には組み合わせを４つ以上とすることが好ましい。組み合わせを多くすればするほど正極リード１０４と正極１０１とが超音波接合している部分で厚さが増し、さらにセパレータと重なっている部分と超音波接合部分とで段差が生じ、蓄電体が曲げられると、電極の細い部分で亀裂が生じやすくなる恐れがある。保護材１１０ａ、１１０ｂが段差を緩和させることによって、丈夫な蓄電体１００を実現する。
【００４２】
蓄電体を所望の形状に曲げる場合、保護材１１０を設けて図１（Ａ）中で鎖線で示した領域は他の領域に比べて曲がらない構成とすることができる。蓄電体が必要以上に曲がらないように制限する機能を持たせることもできる。
【００４３】
また、蓄電体を所望の形状に曲げる場合、所望の形状となるように保護材も曲がった形状とすることもでき、蓄電体の曲げられた形状維持にも寄与することもできる。蓄電体の外装体に囲まれた領域に保護材１１０を設けることで、蓄電体の外部から力を加えて生じるひずみによる影響を許容範囲内に抑えることができる。よって、信頼性の良い蓄電体を提供することができる。
【００４４】
ここで図１（Ｃ）を用いて二次電池の充電時の電流の流れを説明する。リチウムを用いた二次電池を一つの閉回路とみなした時、リチウムイオンの動きと電流の流れは同じ向きになる。なお、リチウムを用いた二次電池では、充電と放電でアノード（陽極）とカソード（陰極）が入れ替わり、酸化反応と還元反応とが入れ替わることになるため、反応電位が高い電極を正極と呼び、反応電位が低い電極を負極と呼ぶ。したがって、本明細書においては、充電中であっても、放電中であっても、逆パルス電流を流す場合であっても、充電電流を流す場合であっても、正極は「正極」または「＋極（プラス極）」と呼び、負極は「負極」または「−極（マイナス極）」と呼ぶこととする。酸化反応や還元反応に関連したアノード（陽極）やカソード（陰極）という用語を用いると、充電時と放電時とでは、逆になってしまい、混乱を招く可能性がある。したがって、アノード（陽極）やカソード（陰極）という用語は、本明細書においては用いないこととする。仮にアノード（陽極）やカソード（陰極）という用語を用いる場合には、充電時か放電時かを明記し、正極（プラス極）と負極（マイナス極）のどちらに対応するものかも併記することとする。
【００４５】
図１（Ｃ）に示す２つの端子には充電器が接続され、蓄電体１００が充電される。蓄電体１００の充電が進めば、電極間の電位差は大きくなる。図１（Ｃ）では、蓄電体１００の外部の端子（正極リード１０４）から、正極集電体（正極１０１）の方へ流れ、蓄電体１００の中において、正極１０１から負極１０２の方へ流れ、負極から蓄電体１００の外部の端子（負極リード１０５）の方へ流れる電流の向きを正の向きとしている。つまり、充電電流の流れる向きを電流の向きとしている。
【００４６】
なお、本実施の形態では説明を簡略にするため、図１（Ｂ）では外装体１０７であるフィルムを図示していない。実際は、圧着領域１１８及び封止層１１５の部分でフィルムの接着層と接して封止がなされる。
【００４７】
また、図１（Ａ）及び図１（Ｂ）ではほぼ同じサイズの保護材１１０を２つ用いる例を示したが特に限定されない。例えば、図２（Ａ）に示すように、面積の異なる２つの保護材を用いてもよい。また、図２（Ｂ）は図２（Ａ）の点線Ａ１−Ａ２で切断した断面図である。図２（Ｂ）に示すように、面積の大きい保護材１１０ａの厚さを保護材１１０ｂよりも薄くしてもよい。
【００４８】
セパレータ１０３を形成するための材料として、セルロースや、ポリプロピレン（ＰＰ）、ポリエチレン（ＰＥ）、ポリブテン、ナイロン、ポリエステル、ポリスルホン、ポリアクリロニトリル、ポリフッ化ビニリデン、テトラフルオロエチレン等の多孔性絶縁体を用いることができる。また、ガラス繊維等の不織布や、ガラス繊維と高分子繊維を複合した隔膜を用いてもよい。
【００４９】
本実施の形態において、蓄電体の構成は、例えば、セパレータ１０３の厚さは約１５μｍ以上３０μｍ以下、正極１０１の集電体は約１０μｍ以上約４０μｍ以下、正極活物質層は約５０μｍ以上約１００μｍ以下、負極活物質層は約５０μｍ以上約１００μｍ以下、負極１０２の集電体は約５μｍ以上約４０μｍ以下とする。
【００５０】
また、図２（Ａ）では、セパレータ１０３は、シート状のものを用いる例を示したが、袋状のものを用いてよい。また、１枚のセパレータを折り曲げ、曲げたセパレータの間に正極（或いは負極）が位置するように外装体１０７内に設置してもよい。
【００５１】
蓄電体１００の正極活物質層に用いる正極活物質としては、オリビン型の結晶構造、層状岩塩型の結晶構造、またはスピネル型の結晶構造を有する複合酸化物等がある。正極活物質として、例えばＬｉＦｅＯ２、ＬｉＣｏＯ２、ＬｉＮｉＯ２、ＬｉＭｎ２Ｏ４、Ｖ２Ｏ５、Ｃｒ２Ｏ５、ＭｎＯ２等の化合物を用いる。
【００５２】
または、複合材料（一般式ＬｉＭＰＯ４（Ｍは、Ｆｅ（ＩＩ）、Ｍｎ（ＩＩ）、Ｃｏ（ＩＩ）、Ｎｉ（ＩＩ）の一以上））を用いることができる。一般式ＬｉＭＰＯ４の代表例としては、ＬｉＦｅＰＯ４、ＬｉＮｉＰＯ４、ＬｉＣｏＰＯ４、ＬｉＭｎＰＯ４、ＬｉＦｅａＮｉｂＰＯ４、ＬｉＦｅａＣｏｂＰＯ４、ＬｉＦｅａＭｎｂＰＯ４、ＬｉＮｉａＣｏｂＰＯ４、ＬｉＮｉａＭｎｂＰＯ４（ａ＋ｂは１以下、０＜ａ＜１、０＜ｂ＜１）、ＬｉＦｅｃＮｉｄＣｏｅＰＯ４、ＬｉＦｅｃＮｉｄＭｎｅＰＯ４、ＬｉＮｉｃＣｏｄＭｎｅＰＯ４（ｃ＋ｄ＋ｅは１以下、０＜ｃ＜１、０＜ｄ＜１、０＜ｅ＜１）、ＬｉＦｅｆＮｉｇＣｏｈＭｎｉＰＯ４（ｆ＋ｇ＋ｈ＋ｉは１以下、０＜ｆ＜１、０＜ｇ＜１、０＜ｈ＜１、０＜ｉ＜１）等のリチウム化合物を材料として用いることができる。
【００５３】
または、一般式Ｌｉ（２−ｊ）ＭＳｉＯ４（Ｍは、Ｆｅ（ＩＩ）、Ｍｎ（ＩＩ）、Ｃｏ（ＩＩ）、Ｎｉ（ＩＩ）の一以上、０≦ｊ≦２）等の複合材料を用いることができる。一般式Ｌｉ（２−ｊ）ＭＳｉＯ４の代表例としては、Ｌｉ（２−ｊ）ＦｅＳｉＯ４、Ｌｉ（２−ｊ）ＮｉＳｉＯ４、Ｌｉ（２−ｊ）ＣｏＳｉＯ４、Ｌｉ（２−ｊ）ＭｎＳｉＯ４、Ｌｉ（２−ｊ）ＦｅｋＮｉｌＳｉＯ４、Ｌｉ（２−ｊ）ＦｅｋＣｏｌＳｉＯ４、Ｌｉ（２−ｊ）ＦｅｋＭｎｌＳｉＯ４、Ｌｉ（２−ｊ）ＮｉｋＣｏｌＳｉＯ４、Ｌｉ（２−ｊ）ＮｉｋＭｎｌＳｉＯ４（ｋ＋ｌは１以下、０＜ｋ＜１、０＜ｌ＜１）、Ｌｉ（２−ｊ）ＦｅｍＮｉｎＣｏｑＳｉＯ４、Ｌｉ（２−ｊ）ＦｅｍＮｉｎＭｎｑＳｉＯ４、Ｌｉ（２−ｊ）ＮｉｍＣｏｎＭｎｑＳｉＯ４（ｍ＋ｎ＋ｑは１以下、０＜ｍ＜１、０＜ｎ＜１、０＜ｑ＜１）、Ｌｉ（２−ｊ）ＦｅｒＮｉｓＣｏｔＭｎｕＳｉＯ４（ｒ＋ｓ＋ｔ＋ｕは１以下、０＜ｒ＜１、０＜ｓ＜１、０＜ｔ＜１、０＜ｕ＜１）等のリチウム化合物を材料として用いることができる。
【００５４】
また、正極活物質として、ＡｘＭ２（ＸＯ４）３（Ａ＝Ｌｉ、Ｎａ、Ｍｇ、Ｍ＝Ｆｅ、Ｍｎ、Ｔｉ、Ｖ、Ｎｂ、Ａｌ、Ｘ＝Ｓ、Ｐ、Ｍｏ、Ｗ、Ａｓ、Ｓｉ）の一般式で表されるナシコン型化合物を用いることができる。ナシコン型化合物としては、Ｆｅ２（ＭｎＯ４）３、Ｆｅ２（ＳＯ４）３、Ｌｉ３Ｆｅ２（ＰＯ４）３等がある。また、正極活物質として、Ｌｉ２ＭＰＯ４Ｆ、Ｌｉ２ＭＰ２Ｏ７、Ｌｉ５ＭＯ４（Ｍ＝Ｆｅ、Ｍｎ）の一般式で表される化合物、ＮａＦｅＦ３、ＦｅＦ３等のペロブスカイト型フッ化物、ＴｉＳ２、ＭｏＳ２等の金属カルコゲナイド（硫化物、セレン化物、テルル化物）、ＬｉＭＶＯ４等の逆スピネル型の結晶構造を有する酸化物、バナジウム酸化物系（Ｖ２Ｏ５、Ｖ６Ｏ１３、ＬｉＶ３Ｏ８等）、マンガン酸化物、有機硫黄化合物等の材料を用いることができる。
【００５５】
なお、キャリアイオンが、リチウムイオン以外のアルカリ金属イオン、アルカリ土類金属イオンの場合、正極活物質として、リチウムの代わりに、アルカリ金属（例えば、ナトリウムやカリウム等）、アルカリ土類金属（例えば、カルシウム、ストロンチウム、バリウム、ベリリウム、またはマグネシウム等）を用いてもよい。
【００５６】
セパレータ１０３としては、セルロース（紙）、または空孔が設けられたポリプロピレン、ポリエチレン等の絶縁体を用いることができる。
【００５７】
電解液は、電解質として、キャリアイオンが移動可能であり、且つキャリアイオンであるリチウムイオンを有する材料を用いる。電解質の代表例としては、ＬｉＰＦ６、ＬｉＣｌＯ４、ＬｉＡｓＦ６、ＬｉＢＦ４、ＬｉＣＦ３ＳＯ３、Ｌｉ（ＣＦ３ＳＯ２）２Ｎ、Ｌｉ（Ｃ２Ｆ５ＳＯ２）２Ｎ等のリチウム塩がある。これらの電解質は、一種を単独で用いてもよく、二種以上を任意の組み合わせ及び比率で用いてもよい。
【００５８】
また、電解液の溶媒としては、キャリアイオンが移動可能な材料を用いる。電解液の溶媒としては、非プロトン性有機溶媒が好ましい。非プロトン性有機溶媒の代表例としては、エチレンカーボネート（ＥＣ）、プロピレンカーボネート、ジメチルカーボネート、ジエチルカーボネート（ＤＥＣ）、γーブチロラクトン、アセトニトリル、ジメトキシエタン、テトラヒドロフラン等があり、これらの一つまたは複数を用いることができる。また、電解液の溶媒としてゲル化される高分子材料を用いることで、漏液性等に対する安全性が高まる。また、蓄電池の薄型化及び軽量化が可能である。ゲル化される高分子材料の代表例としては、シリコーンゲル、アクリルゲル、アクリロニトリルゲル、ポリエチレンオキサイド系ゲル、ポリプロピレンオキサイド系ゲル、フッ素系ポリマーのゲル等がある。また、電解液の溶媒として、難燃性及び難揮発性であるイオン液体（常温溶融塩）を一つまたは複数用いることで、蓄電池の内部短絡や、過充電等によって内部温度が上昇しても、蓄電池の破裂や発火などを防ぐことができる。なお、イオン液体は、流動状態にある塩であり、イオン移動度（伝導度）が高い。また、イオン液体は、カチオンとアニオンとを含む。イオン液体としては、エチルメチルイミダゾリウム（ＥＭＩ）カチオンを含むイオン液体、またはＮ−メチル−Ｎ−プロピルピペリジニウム（ＰＰ１３）カチオンを含むイオン液体などがある。
【００５９】
また、電解液の代わりに、硫化物系や酸化物系等の無機物材料を有する固体電解質や、ＰＥＯ（ポリエチレンオキシド）系等の高分子材料を有する固体電解質を用いることができる。固体電解質を用いる場合には、セパレータやスペーサの設置が不要となる。また、電池全体を固体化できるため、漏液のおそれがなくなり安全性が飛躍的に向上する。
【００６０】
蓄電体１００の負極活物質層に用いる負極活物質としては、リチウムの溶解・析出、又はリチウムイオンの挿入・脱離が可能な材料を用いることができ、リチウム金属、炭素系材料、合金系材料等を用いることができる。
【００６１】
リチウム金属は、酸化還元電位が低く（標準水素電極に対して−３．０４５Ｖ）、重量及び体積当たりの比容量が大きい（それぞれ３８６０ｍＡｈ／ｇ、２０６２ｍＡｈ／ｃｍ３）ため、好ましい。
【００６２】
炭素系材料としては、黒鉛、易黒鉛化性炭素（ソフトカーボン）、難黒鉛化性炭素（ハードカーボン）、カーボンナノチューブ、グラフェン、カーボンブラック等がある。
【００６３】
黒鉛としては、メソカーボンマイクロビーズ（ＭＣＭＢ）、コークス系人造黒鉛、ピッチ系人造黒鉛等の人造黒鉛や、球状化天然黒鉛等の天然黒鉛がある。
【００６４】
黒鉛はリチウムイオンが黒鉛に挿入されたとき（リチウム−黒鉛層間化合物の生成時）にリチウム金属と同程度に卑な電位を示す（０．１〜０．３Ｖ  ｖｓ．Ｌｉ／Ｌｉ＋）。これにより、リチウムイオン二次電池は高い作動電圧を示すことができる。さらに、黒鉛は、単位体積当たりの容量が比較的高い、体積膨張が小さい、安価である、リチウム金属に比べて安全性が高い等の利点を有するため、好ましい。
【００６５】
負極活物質として、リチウムとの合金化・脱合金化反応により充放電反応を行うことが可能な合金系材料または酸化物も用いることができる。キャリアイオンがリチウムイオンである場合、合金系材料としては、例えば、Ａｌ、Ｓｉ、Ｇｅ、Ｓｎ、Ｐｂ、Ｓｂ、Ｂｉ、Ａｇ、Ａｕ、Ｚｎ、Ｃｄ、Ｉｎ、Ｇａ等のうち少なくとも一つを含む材料がある。このような元素は炭素に対して容量が大きく、特にシリコンは理論容量が４２００ｍＡｈ／ｇと飛躍的に高い。このため、負極活物質にシリコンを用いることが好ましい。このような元素を用いた合金系材料としては、例えば、Ｍｇ２Ｓｉ、Ｍｇ２Ｇｅ、Ｍｇ２Ｓｎ、ＳｎＳ２、Ｖ２Ｓｎ３、ＦｅＳｎ２、ＣｏＳｎ２、Ｎｉ３Ｓｎ２、Ｃｕ６Ｓｎ５、Ａｇ３Ｓｎ、Ａｇ３Ｓｂ、Ｎｉ２ＭｎＳｂ、ＣｅＳｂ３、ＬａＳｎ３、Ｌａ３Ｃｏ２Ｓｎ７、ＣｏＳｂ３、ＩｎＳｂ、ＳｂＳｎ等がある。なお、ＳｉＯとは、ケイ素リッチの部分を含むケイ素酸化物の粉末を指しており、ＳｉＯｙ（２＞ｙ＞０）とも表記できる。例えばＳｉＯは、Ｓｉ２Ｏ３、Ｓｉ３Ｏ４、またはＳｉ２Ｏから選ばれた単数または複数を含む材料や、Ｓｉの粉末と二酸化ケイ素ＳｉＯ２の混合物も含む。また、ＳｉＯは他の元素（炭素、窒素、鉄、アルミニウム、銅、チタン、カルシウム、マンガンなど）を含む場合もある。即ち、単結晶Ｓｉ、アモルファスＳｉ、多結晶Ｓｉ、Ｓｉ２Ｏ３、Ｓｉ３Ｏ４、Ｓｉ２Ｏ、ＳｉＯ２から選ばれる複数を含む材料を指しており、ＳｉＯは有色材料である。ＳｉＯではないＳｉＯｘ（Ｘは２以上）であれば無色透明、或いは白色であり、区別することができる。ただし、二次電池の材料としてＳｉＯを用いて二次電池を作製した後、充放電を繰り返すなどによって、ＳｉＯが酸化した場合には、ＳｉＯ２に変質する場合もある。
【００６６】
また、負極活物質として、ＳｉＯ、ＳｎＯ、ＳｎＯ２、二酸化チタン（ＴｉＯ２）、リチウムチタン酸化物（Ｌｉ４Ｔｉ５Ｏ１２）、リチウム−黒鉛層間化合物（ＬｉｘＣ６）、五酸化ニオブ（Ｎｂ２Ｏ５）、酸化タングステン（ＷＯ２）、酸化モリブデン（ＭｏＯ２）等の酸化物を用いることができる。
【００６７】
また、負極活物質として、リチウムと遷移金属の複窒化物である、Ｌｉ３Ｎ型構造をもつＬｉ３−ｘＭｘＮ（Ｍ＝Ｃｏ、Ｎｉ、Ｃｕ）を用いることができる。例えば、Ｌｉ２．６Ｃｏ０．４Ｎ３は大きな充放電容量（９００ｍＡｈ／ｇ、１８９０ｍＡｈ／ｃｍ３）を示し好ましい。
【００６８】
リチウムと遷移金属の複窒化物を用いると、負極活物質中にリチウムイオンを含むため、正極活物質としてリチウムイオンを含まないＶ２Ｏ５、Ｃｒ３Ｏ８等の材料と組み合わせることができ好ましい。なお、正極活物質にリチウムイオンを含む材料を用いる場合でも、あらかじめ正極活物質に含まれるリチウムイオンを脱離させておくことで負極活物質としてリチウムと遷移金属の複窒化物を用いることができる。
【００６９】
また、コンバージョン反応が生じる材料を負極活物質として用いることもできる。例えば、酸化コバルト（ＣｏＯ）、酸化ニッケル（ＮｉＯ）、酸化鉄（ＦｅＯ）等の、リチウムと合金化反応を行わない遷移金属酸化物を負極活物質に用いてもよい。コンバージョン反応が生じる材料としては、さらに、Ｆｅ２Ｏ３、ＣｕＯ、Ｃｕ２Ｏ、ＲｕＯ２、Ｃｒ２Ｏ３等の酸化物、ＣｏＳ０．８９、ＮｉＳ、ＣｕＳ等の硫化物、Ｚｎ３Ｎ２、Ｃｕ３Ｎ、Ｇｅ３Ｎ４等の窒化物、ＮｉＰ２、ＦｅＰ２、ＣｏＰ３等のリン化物、ＦｅＦ３、ＢｉＦ３等のフッ化物でも起こる。なお、上記フッ化物の電位は高いため、正極活物質として用いてもよい。
【００７０】
また、負極活物質層には、上述した負極活物質の他、活物質の密着性を高めるための結着剤（バインダ）、負極活物質層の導電性を高めるための導電助剤等を有してもよい。
【００７１】
また、外装体に囲まれた領域に保護材を設けることに限定されず、保護材の一部が露出するように保護材を設けてもよい。外装体１０７の外周縁を熱圧着により、接着する際、接着領域と保護材の一部と重ねて熱圧着して封止してもよい。この場合、保護材は接着領域と接している部分で固定される。
【００７２】
本実施の形態では、携帯情報端末などに用いる小型の電池の例を示したが、特に限定されず、車両などに搭載する大型の電池にも適用することができる。
【００７３】
（実施の形態２）
本実施の形態では、プレス加工、例えばエンボス加工により外装体のフィルムに凹凸を形成し、外装体で囲まれる領域に保護材１１０としてシート状のプラスチックフィルムを用いる例を示す。本実施の形態では保護材１１０を一つ用いる例を示す。
【００７４】
本実施の形態では、フィルム表面にエンボス加工を行い、模様を有するフィルムを用いてリチウムイオン二次電池を作製する例を図３を用いて示す。なお、図３において、図１と共通の部分には同じ符号を用いて説明することとし、簡略化のため詳細な説明はここでは省略することとする。
【００７５】
まず、可撓性基材からなるシートを用意する。シートは、積層体を用い、金属フィルムの一方の面または両方の面に接着層（ヒートシール層とも呼ぶ）を有するものを用いる。接着層は、ポリプロピレンやポリエチレンなどを含む熱融着性樹脂フィルムを用いる。本実施の形態では、シートとして、アルミニウム箔の表面にナイロン樹脂を有し、アルミニウム箔の裏面に耐酸性ポリプロピレン膜と、ポリプロピレン膜の積層が設けられている金属シートを用いる。このシートをカットしてフィルムを用意する。
【００７６】
そして、このフィルムにエンボス加工を行い、フィルム表面に凹凸を形成し、視認可能な模様を形成する。なお、ここではシートをカットした後、エンボス加工を行う例を示すが、特に順序は限定されず、シートをカットする前にエンボス加工を行い、その後カットして、もよい。また、シートを折り曲げて熱圧着を行った後にカットしてもよい。
【００７７】
なお、エンボス加工とは、プレス加工の一種であり、表面に凹凸のあるエンボスロールをフィルムに圧接させ、エンボスロールの凹凸に対応する凹凸をフィルム表面に形成する処理のことを指している。エンボスロールは、表面に模様を彫刻したロールである。
【００７８】
また、エンボスロールを用いることに限定されず、エンボスプレートを用いてもよい。また、エンボス加工に限定されず、フィルムの一部に浮き彫り（レリーフ）を形成すればよい。
【００７９】
本実施の形態では、フィルム４１１の両面に凹凸を設けて模様を形成し、フィルム４１１を中央で折り曲げて、四隅のうち、曲げる箇所を挟む２つの端部を重ね、３辺を接着層で封止する構造とする。
【００８０】
次いで、フィルム４１１を中央で折り、図３（Ａ）に示す状態とする。
【００８１】
また、図３（Ｂ）に示すように二次電池を構成する正極１０１、セパレータ１０３、負極１０２を積層したものと、保護材１１０を用意する。また、正極１０１や負極１０２に用いる集電体としては、ステンレス、金、白金、亜鉛、鉄、ニッケル、銅、アルミニウム、チタン、タンタル等の金属、及びこれらの合金など、導電性の高く、リチウム等のキャリアイオンと合金化しない材料を用いることができる。また、シリコン、チタン、ネオジム、スカンジウム、モリブデンなどの耐熱性を向上させる元素が添加されたアルミニウム合金を用いることができる。また、シリコンと反応してシリサイドを形成する金属元素で形成してもよい。シリコンと反応してシリサイドを形成する金属元素としては、ジルコニウム、チタン、ハフニウム、バナジウム、ニオブ、タンタル、クロム、モリブデン、タングステン、コバルト、ニッケル等がある。また、集電体は、箔状、板状（シート状）、網状、円柱状、コイル状、パンチングメタル状、エキスパンドメタル状等の形状を適宜用いることができる。集電体は、厚みが５μｍ以上４０μｍ以下のものを用いるとよい。なお、ここでは説明を簡略にするため、正極１０１、セパレータ１０３、負極１０２の積層の組み合わせを１つにして外装体に収納する例を示したが、二次電池の容量を大きくするために組み合わせを複数重ねて外装体に収納する。本実施の形態では組み合わせを１２重ねて外装体に収納する。
【００８２】
そして図３（Ｃ）に示す封止層１１５を有するリード電極を２つ用意する。リード電極はリード端子とも呼ばれ、二次電池の正極または負極を外装フィルムの外側へ引き出すために設けられる。リード電極として正極リード１０４はアルミニウムを用い、負極リード１０５は、ニッケルメッキを施した銅を用いる。
【００８３】
そして、正極リード１０４と、正極１０１の突出部を超音波溶接などにより、電気的に接続する。そして負極リード１０５と、負極１０２の突出部を超音波溶接などにより、電気的に接続する。
【００８４】
そして、電解液を入れるための一辺を残すため、フィルム４１１の２辺に対して熱圧着を行って封止する。熱圧着の際、リード電極に設けられた封止層１１５も溶けてリード電極とフィルム４１１との間を固定される。そして、減圧雰囲気下、或いは不活性雰囲気下で所望の量の電解液をフィルム４１１が袋状となった内側に滴下する。そして、最後に、熱圧着をせずに残していたフィルムの周縁に対して熱圧着を行って封止する。
【００８５】
こうして図３（Ｄ）に示す蓄電体４００を作製することができる。
【００８６】
得られた蓄電体４００は、外装体となるフィルム４１１の表面に凹凸を有する模様を有している。また、端面の領域は熱圧着領域であり、その部分にも表面に凹凸を有する模様を有する。中央部に比べると熱圧着領域の凹凸は小さいが、二次電池を曲げた時に加わる応力を緩和することができる。応力によって生じるひずみを緩和する構造とすることで、二次電池を曲げたり変形させたりするときに（外装体などが）破損することなく、長期信頼性を確保することができる。
【００８７】
また、得られた蓄電体４００は、エンボス加工によって曲げやすい領域が形成され、保護材１１０が設けられた領域は、曲げにくい領域となる。曲げにくい領域に集電体の幅が細い領域が配置されるようにすることで、集電体へのダメージを保護材１１０が低減することができる。
【００８８】
本実施の形態は、実施の形態１と自由に組み合わせることができる。
【００８９】
（実施の形態３）
本実施の形態では、実施の形態１または実施の形態２を用いて得られる蓄電体を組み込んだ電子機器の一例を示す。
【００９０】
蓄電体を適用した電子機器として、例えば、ヘッドマウントディスプレイやゴーグル型ディスプレイのような表示装置（テレビ、又はテレビジョン受信機ともいう）、デスクトップ型やノート型等のパーソナルコンピュータ、コンピュータ用などのモニタ、デジタルカメラ、デジタルビデオカメラ、デジタルフォトフレーム、電子手帳、電子書籍端末、電子翻訳機、玩具、マイクロフォン等の音声入力機器、電気シェーバ、電動歯ブラシ、電子レンジ等の高周波加熱装置、電気炊飯器、電気洗濯機、電気掃除機、温水器、扇風機、毛髪乾燥機、加湿器や除湿器やエアコンディショナ等の空気調和設備、食器洗い器、食器乾燥器、衣類乾燥器、布団乾燥器、電気冷蔵庫、電気冷凍庫、電気冷凍冷蔵庫、ＤＮＡ保存用冷凍庫、懐中電灯、電動工具、煙感知器、ガス警報装置や防犯警報装置等の警報装置、産業用ロボット、補聴器、心臓ペースメーカ、Ｘ線撮影装置、放射線測定器、電気マッサージ器や透析装置等の健康機器や医療機器、携帯電話機（携帯電話、携帯電話装置ともいう）、携帯型ゲーム機、携帯情報端末、照明装置、ヘッドホン、ステレオ、リモートコントローラ、置き時計や壁掛け時計等の時計、コードレス電話子機、トランシーバ、歩数計、電卓、デジタルオーディオプレーヤ等の携帯型又は据置型の音響再生装置、パチンコ機などの大型ゲーム機などが挙げられる。
【００９１】
実施の形態１乃至３のいずれか一を用いて得られる蓄電体は、外装体が薄く柔軟性を有するフィルムであり、曲面を有する支持構造体に貼り付け、支持構造体の曲率半径の大きい領域の曲面部分に追随して変形させることができる。
【００９２】
また、フレキシブルな形状を備える蓄電体を、家屋やビルの内壁または外壁や、自動車の内装または外装の曲面に沿って組み込むことも可能である。
【００９３】
図４（Ａ）は、携帯電話機の一例を示している。携帯電話機７４００は、筐体７４０１に組み込まれた表示部７４０２の他、操作ボタン７４０３、外部接続ポート７４０４、スピーカ７４０５、マイク７４０６などを備えている。なお、携帯電話機７４００は、蓄電体７４０７を有している。
【００９４】
図４（Ｂ）は、携帯電話機７４００を湾曲させた状態を示している。携帯電話機７４００を外部の力により変形させて全体を湾曲させると、その内部に設けられている蓄電体７４０７も湾曲される。また、その時、曲げられた蓄電体７４０７の状態を図４（Ｃ）に示す。蓄電体７４０７はラミネート構造の蓄電池（積層構造電池、フィルム外装電池とも呼ばれる）である。蓄電体７４０７は曲げられた状態で固定されている。なお、蓄電体７４０７は集電体７４０９と電気的に接続されたリード電極７４０８を有している。例えば、蓄電体７４０７の外装体のフィルムに囲まれた領域に保護材７４１０ａ、７４１０ｂが設けられており、蓄電体７４０７が曲げられた状態での信頼性が高い構成となっている。さらに、携帯電話機７４００は、ＳＩＭカードを挿入するためのスロットや、ＵＳＢメモリなどＵＳＢデバイスを接続するコネクタ部などを設けてもよい。
【００９５】
図４（Ｄ）は、曲げることのできる携帯電話の一例を示している。前腕に巻くような形状に曲げれば、図４（Ｅ）に示すバングル型の携帯電話にすることができる。携帯電話７１００は、筐体７１０１、表示部７１０２、操作ボタン７１０３、及び蓄電体７１０４を備える。また、図４（Ｆ）に曲げることのできる蓄電体７１０４の状態を示す。蓄電体７１０４は曲げられた状態で使用者の腕への装着時に、筐体が変形して蓄電体７１０４の一部または全部の曲率が変化する。具体的には、曲率半径が１０ｍｍ以上１５０ｍｍ以下の範囲内で筐体または蓄電体７１０４の主表面の一部または全部が変化する。なお、蓄電体７１０４は集電体７１０６と電気的に接続されたリード電極７１０５を有している。例えば、蓄電体７１０４の外装体のフィルムに囲まれた領域に保護材７１１０が設けられており、蓄電体７１０４が曲率を変化させて曲げられる回数が多くとも高い信頼性を維持できる構成となっている。このように、図４（Ｄ）に示す携帯電話は、複数の形状に変化することのできるデバイスであり、それを実現するためには少なくとも筐体７１０１、表示部７１０２、及び蓄電体７１０４が可撓性を有することが望ましい。
【００９６】
さらに、携帯電話７１００は、ＳＩＭカードを挿入するためのスロットや、ＵＳＢメモリなどＵＳＢデバイスを接続するコネクタ部などを設けてもよい。
【００９７】
また、携帯電話の他の使用例として、図４（Ｄ）に示す携帯電話の中央部分を折り曲げると、図４（Ｇ）に示すような形状にすることもできる。また、携帯電話の中央部分をさらに折り曲げて図４（Ｈ）に示すように携帯電話の端部が重なるようにして小型化させ、使用者のポケットなどに入れるサイズにできる。図４（Ｄ）、図４（Ｇ）、及び図４（Ｈ）に示す変形のみであれば、蓄電体７１０４は曲げられる状態にはなっていない。携帯電話は、落下や、その他の衝撃を受ける場合、薄型であると内部に配置されている蓄電体７１０４にも衝撃が加えられる。蓄電体７１０４の外装体のフィルムに囲まれた領域に保護材が設けられていればこれらの衝撃を緩和し、丈夫な二次電池を実現できる。従って、外装体のフィルムに囲まれた領域に保護材が設ける蓄電体７１０４は、携帯電話を曲げる、曲げないにかかわらず、信頼性の高い携帯電話を実現できる。
【００９８】
また、曲げることのできる蓄電体を車両に搭載すると、ハイブリッド車（ＨＥＶ）、電気自動車（ＥＶ）、又はプラグインハイブリッド車（ＰＨＥＶ）等の次世代クリーンエネルギー自動車を実現できる。また、農業機械、電動アシスト自転車を含む原動機付自転車、自動二輪車、電動車椅子、電動カート、小型又は大型船舶、潜水艦、固定翼機や回転翼機等の航空機、ロケット、人工衛星、宇宙探査機や惑星探査機、宇宙船などの移動体に曲げることのできる蓄電体を搭載することもできる。
【符号の説明】
【００９９】
１００    蓄電体
１０１    正極
１０２    負極
１０３    セパレータ
１０４    正極リード
１０５    負極リード
１０７    外装体
１１０    保護材
１１０ａ    保護材
１１０ｂ    保護材
１１５    封止層
１１８  圧着領域
４００    蓄電体
４１１    フィルム
１７００    曲面
１７０１    平面
１７０２    曲線
１７０３    曲率半径
１７０４    曲率中心
１８００    曲率中心
１８０１    フィルム
【図１】
2015233003.tif 000003
【図２】
2015233003.tif 000004
【図３】
2015233003.tif 000005
【図４】
2015233003.tif 000006
【図５】
2015233003.tif 000007
【図６】
2015233003.tif 000008